(57)【特許請求の範囲】
【請求項１】
コンテンツと上記コンテンツを再生するための管理情報データとが記録されたディスクより、上記管理情報データを読み出して上記コンテンツを再生するディスク再生装置において、
上記管理情報データが正常に解釈可能である場合、上記管理情報データを、内蔵する、または取り外し可能な不揮発性記憶手段に記録するバックアップ制御手段と、
上記ディスクに記録された上記管理情報データが正常に解釈可能である場合、上記ディスクに記録された管理情報データを基に上記コンテンツの再生を行い、上記ディスクに記録された上記管理情報データが読み出せず、上記不揮発性記憶手段に記録された上記管理情報データが正常に解釈可能である場合、上記不揮発性記憶手段に記録された管理情報データを読み出して、上記コンテンツの再生を行う再生制御手段と、
上記ディスクを搬送するトレイの開閉回数を、挿入されたディスク毎に計測し、計測された開閉回数と対応するディスクの上記管理情報データとを関連付けてデータベースに保持する手段と、
上記トレイの開閉回数が少ないディスクの上記管理情報データを上記不揮発性記憶手段から優先的に削除する手段と、
を備えたことを特徴とするディスク再生装置。
【請求項２】
上記管理情報データと同じ管理情報データからなるバックアップ管理情報データが上記ディスクに記録されており、
上記バックアップ管理情報データが正常に解釈可能である場合、上記バックアップ制御手段は、上記バックアップ管理情報データを上記不揮発性記憶手段に記録し、
上記再生制御手段は、上記ディスクに記録された上記管理情報データが読み出せず、上記ディスクに記録された上記バックアップ管理情報データが正常に解釈可能である場合、上記ディスクに記録された上記バックアップ管理情報データを基に上記コンテンツの再生を行い、
上記ディスクに記録された上記管理情報データおよび上記バックアップ管理情報データが読み出せず、上記不揮発性記憶手段に記録された上記管理情報データまたは上記バックアップ管理情報データが正常に解釈可能である場合、上記不揮発性記憶手段に記録された上記管理情報データまたは上記バックアップ管理情報データを読み出して、上記コンテンツの再生を行うことを特徴とする請求項１記載のディスク再生装置。
【請求項３】
コンテンツと上記コンテンツを再生するための管理情報データとが記録されたディスクより、上記管理情報データを読み出して上記コンテンツを再生する再生方法において、
上記管理情報データが正常に解釈可能である場合、上記管理情報データを不揮発性記憶手段に記録すると共に、上記ディスクに記録された管理情報データを基に上記コンテンツの再生を行うステップと、
上記ディスクに記録された上記管理情報データが読み出せず、上記不揮発性記憶手段に記録された上記管理情報データが正常に解釈可能である場合、上記不揮発性記憶手段に記録された管理情報データを読み出して、上記コンテンツの再生を行うステップと、
上記ディスクを搬送するトレイの開閉回数を、挿入されたディスク毎に計測し、計測された開閉回数と対応するディスクの上記管理情報データとを関連付けてデータベースに保持するステップと、
上記トレイの開閉回数が少ないディスクの上記管理情報データを上記不揮発性記憶手段から優先的に削除するステップと、
を備えたことを特徴とするディスク再生方法。
【請求項４】
上記管理情報データと同じ管理情報データからなるバックアップ管理情報データが上記ディスクに記録されており、上記バックアップ管理情報データが正常に解釈可能である場合、上記ディスクより上記バックアップ管理情報データを読み出して上記不揮発性記憶手段に記録し、
上記ディスクに記録された上記管理情報データが読み出せず、上記ディスクに記録された上記バックアップ管理情報データが正常に解釈可能である場合、上記ディスクに記録された上記バックアップ管理情報データを基に上記コンテンツの再生を行い、
上記ディスクに記録された上記管理情報データおよび上記バックアップ管理情報データが読み出せず、上記不揮発性記憶手段に記録された上記管理情報データまたは上記バックアップ管理情報データが正常に解釈可能である場合、上記不揮発性記憶手段に記録された上記管理情報データまたは上記バックアップ管理情報データを読み出して、上記コンテンツの再生を行うことを特徴とする請求項３記載のディスク再生方法。
【請求項５】
コンテンツと上記コンテンツを再生するための管理情報データとが記録されたディスクより、上記管理情報データを読み出して上記コンテンツを再生する際、
上記管理情報データが正常に解釈可能である場合、上記管理情報データを不揮発性記憶手段に記録すると共に、上記ディスクに記録された管理情報データを基に上記コンテンツの再生を行うステップと、
上記ディスクに記録された上記管理情報データが読み出せず、上記不揮発性記憶手段に記録された上記管理情報データが正常に解釈可能である場合、上記不揮発性記憶手段に記録された管理情報データを読み出して、上記コンテンツの再生を行うステップと、
上記ディスクを搬送するトレイの開閉回数を、挿入されたディスク毎に計測し、計測された開閉回数と対応するディスクの上記管理情報データとを関連付けてデータベースに保持するステップと、
上記トレイの開閉回数が少ないディスクの上記管理情報データを上記不揮発性記憶手段から優先的に削除するステップと、
をコンピュータに行わせるディスク再生プログラム。
【請求項６】
上記管理情報データと同じ管理情報データからなるバックアップ管理情報データが上記ディスクに記録されており、
上記バックアップ管理情報データが正常に解釈可能である場合、上記ディスクより上記バックアップ管理情報データを読み出して、上記不揮発性記憶手段に記録し
上記ディスクに記録された上記管理情報データが読み出せず、上記ディスクに記録された上記バックアップ管理情報データが正常に解釈可能である場合、上記ディスクに記録された上記バックアップ管理情報データを基に上記コンテンツの再生を行い、
上記ディスクに記録された上記管理情報データおよび上記バックアップ管理情報データが読み出せず、上記不揮発性記憶手段に記録された上記管理情報データまたは上記バックアップ管理情報データが正常に解釈可能である場合、上記不揮発性記憶手段に記録された上記管理情報データまたは上記バックアップ管理情報データを読み出して、上記コンテンツの再生を行うようコンピュータに指令することを特徴とする請求項５記載のディスク再生プログラム。
【発明の詳細な説明】
【技術分野】
【０００１】
この発明は、ディスクに記録されたコンテンツをより確実に再生できるディスク再生装置に関するものである。また、より確実にコンテンツの再生ができるディスク再生方法、およびディスク再生プログラムに関するものである。
【背景技術】
【０００２】
従来のディスク再生装置は、ディスクに記録された管理情報データを基に、映像ストリーム、音声ストリーム等のコンテンツを再生していた。ディスクに傷や汚れなどがあった場合には、ディスクの正規の位置に記録された管理情報データが読み出せないことがあり、ストリームの再生を行うことができなかった。
【０００３】
この改善策として、管理情報ファイルのバックアップを同一記録媒体に記録し、正規の管理情報データが読み出せなかった場合にはバックアップしたバックアップ管理情報ファイルより管理情報データを読み出すようにしている（例えば、特許文献１参照。）。
【０００４】
【特許文献１】特開２００５−５９１５号公報（第３１頁、第１５図）
【発明の開示】
【発明が解決しようとする課題】
【０００５】
従来のディスク再生装置は以上のように構成されているが、ディスクに障害が発生し、ディスクから管理情報データもバックアップ管理情報データも読み出せない場合にはコンテンツの再生ができないという問題点があった。
【０００６】
本発明は、かかる問題点を解決するためになされたもので、ディスクからコンテンツの再生に必要な管理情報データが読み出せなかった場合にでも、正確な管理情報データを得て、コンテンツの再生を行うことができるディスク再生装置を提供することを目的としている。
また、このようなディスク再生方法および再生プログラムを提供することを目的としている。
【課題を解決するための手段】
【０００７】
この発明に係るディスク再生装置は、コンテンツと上記コンテンツを再生するための管理情報データとが記録されたディスクより、上記管理情報データを読み出して上記コンテンツを再生するディスク再生装置において、
上記管理情報データが正常に解釈可能である場合、上記管理情報データを、内蔵する、または取り外し可能な不揮発性記憶手段に記録するバックアップ制御手段と、
上記ディスクに記録された上記管理情報データが正常に解釈可能である場合、上記ディスクに記録された管理情報データを基に上記コンテンツの再生を行い、上記ディスクに記録された上記管理情報データが読み出せず、上記不揮発性記憶手段に記録された上記管理情報データが正常に解釈可能である場合、上記不揮発性記憶手段に記録された管理情報データを読み出して、上記コンテンツの再生を行う再生制御手段と、
上記ディスクを搬送するトレイの開閉回数を、挿入されたディスク毎に計測し、計測された開閉回数と対応するディスクの上記管理情報データとを関連付けてデータベースに保持する手段と、
上記トレイの開閉回数が少ないディスクの上記管理情報データを上記不揮発性記憶手段から優先的に削除する手段と、
を備えたものである。
【０００９】
また、この発明に係るディスク再生方法は、コンテンツと上記コンテンツを再生するための管理情報データとが記録されたディスクより、上記管理情報データを読み出して上記コンテンツを再生する再生方法において、
上記管理情報データが正常に解釈可能である場合、上記管理情報データを不揮発性記憶手段に記録すると共に、上記ディスクに記録された管理情報データを基に上記コンテンツの再生を行うステップと、
上記ディスクに記録された上記管理情報データが読み出せず、上記不揮発性記憶手段に記録された上記管理情報データが正常に解釈可能である場合、上記不揮発性記憶手段に記録された管理情報データを読み出して、上記コンテンツの再生を行うステップと、
上記ディスクを搬送するトレイの開閉回数を、挿入されたディスク毎に計測し、計測された開閉回数と対応するディスクの上記管理情報データとを関連付けてデータベースに保持するステップと、
上記トレイの開閉回数が少ないディスクの上記管理情報データを上記不揮発性記憶手段から優先的に削除するステップと、
を備えたものである。
【００１０】
この発明に係るディスク再生プログラムは、コンテンツと上記コンテンツを再生するための管理情報データとが記録されたディスクより、上記管理情報データを読み出して上記コンテンツを再生する際に、
上記管理情報データが正常に解釈可能である場合、上記管理情報データを不揮発性記憶手段に記録すると共に、上記ディスクに記録された管理情報データを基に上記コンテンツの再生を行うステップと、
上記ディスクに記録された上記管理情報データが読み出せず、上記不揮発性記憶手段に記録された上記管理情報データが正常に解釈可能である場合、上記不揮発性記憶手段に記録された管理情報データを読み出して、上記コンテンツの再生を行うステップと、
上記ディスクを搬送するトレイの開閉回数を、挿入されたディスク毎に計測し、計測された開閉回数と対応するディスクの上記管理情報データとを関連付けてデータベースに保持するステップと、
上記トレイの開閉回数が少ないディスクの上記管理情報データを上記不揮発性記憶手段から優先的に削除するステップと、
をコンピュータに行わせるものである。
【発明の効果】
【００１２】
本発明のディスク再生装置、ディスク再生方法、およびディスク再生プログラムでは、管理情報データのバックアップを光ディスク以外の不揮発性記憶装置にバックアップコピーするので、光ディスクに障害が発生して管理情報が読み出せない場合にも、不揮発性記憶装置にバックアップされた管理情報データを読み出すことによってコンテンツの再生を行うのに必要な情報を得ることができるので、より確実にコンテンツの再生が可能となる。
【発明を実施するための最良の形態】
【００１３】
実施の形態１．
図１はこの発明の実施の形態１による光ディスク再生装置を示すブロック図であって、光ディスクに記録されている管理情報データおよびストリームデータの流れを示している。
図において、光ディスク１には、正式な管理情報データ２、コンテンツの一部であるストリームデータ３、および管理情報データ２と同じ情報を持ったバックアップ管理情報データ４が記録されている。
一方、光ディスク再生装置１０は、光ディスク１とは異なる記録媒体である不揮発性記憶手段６、光ディスク１に記録された管理情報データ２またはバックアップ管理情報データ４を不揮発性記憶手段８にバックアップするバックアップ制御手段５、および光ディスク１に記録されたデータを読み出す際のエラー状況を監視すると共に、コンテンツの再生を行う再生制御手段８を備えている。
再生制御手段８はマイクロプロセッサとデマルチプレクサとデコーダーを内蔵しており、再生動作を行うためのプログラムと、光ディスク１のファイルシステムへのアクセスに必要なプログラムとが格納されている。
バックアップ制御手段５は、光ディスク１のファイルシステムにアクセスでき、管理情報データ２またはバックアップ管理情報データ４を読み出すことができ、不揮発性記憶手段６に管理情報データ７を作成することができる。
不揮発性記憶手段６は、光ディスク再生装置１０に内蔵していてもいいし、取り外し可能なＵＳＢメモリのような形態をしていてもいい。
【００１４】
光ディスク１上のストリームデータ３を再生するには管理情報データ２が正常に解釈可能であることが必要である。管理情報データ２のチェックは再生制御手段８で行う。
再生制御手段８では管理情報データ２を光ディスク１から読み出し、光ディスク１の規格で定められているデータ構造と比較し、矛盾がないことを確認する。規定のサイズのデータ構造が読み出せない場合は、管理情報データ１が壊れている可能性が考えられる。
もし、管理情報データ１が読み出せない場合は、バックアップ管理情報データ４を読み出し、同様にして正常に解釈できるか確認する。
バックアップ管理情報データ４に異常があれば、正常に管理情報データ２またはバックアップ管理情報データ４が読み出せたときに、あらかじめバックアップ制御手段５によって不揮発性記憶手段６にコピーされた管理情報データ７を読み出してストリームの再生を試みる。
【００１５】
図２は、バックアップ制御手段５が管理情報データ７を生成するためのフローチャートを示している。再生制御手段８がストリームの再生を開始しようとするときがトリガとなり、管理情報データ２のバックアップ判定が開始する。
まず、図２のステップＳ１００において、光ディスク再生装置１０の再生制御手段８が光ディスク１上の管理情報データ２を読み出す。ステップＳ１０１において、最初に読み出した光ディスク１上の正規の管理情報データ２が正常に解釈可能か否かを再生制御手段８で判定をする。光ディスク上の正規の管理情報データ２が正常に解釈可能な場合には（ステップＳ１０１でＹＥＳ）、ステップＳ１０２において、バックアップ制御手段５は不揮発性記憶手段６に管理情報データ７がバックアップされているかどうか判定し、不揮発性記憶手段６にバックアップされた管理情報データ７が存在しない場合には（ステップＳ１０２でＮＯ）、ステップＳ１０３において光ディスク１上の管理情報データ２を不揮発性記憶手段６にバックアップコピーをする。
ステップＳ１０２でＹＥＳの場合、ステップＳ１１２において、バックアップ制御手段５は光ディスク１上の管理情報データ２と、不揮発性記憶手段６に記録されていた管理情報データ７とを比較し、内容が同じであればステップＳ１０４の処理を行う。もし、内容が異なるものであった場合には、不揮発性記憶手段６上の、今再生しようとしているディスクに関する管理情報データ７を消去し、新たに光ディスク１上の正規の管理情報データ２をバックアップコピーしてからステップＳ１０４の処理を行う。
ステップＳ１０４では、再生制御手段８が光ディスク１上の管理情報データ２を使ってストリームを再生する。
【００１６】
次に、光ディスク１上の正規の管理情報データ２が正常に解釈できない場合（ステップＳ１０１でＮＯ）について説明する。
光ディスク１には管理情報データ２のバックアップ管理情報データ４を光ディスク１上に保持している場合があるので、再生制御手段８はバックアップ管理情報データ４を使ってストリームの再生を行うことを試みる。
ステップＳ１０５において、光ディスク１上のバックアップ管理情報データ４が正常に解釈できるか判定を行う。正常に解釈できた場合は（ステップＳ１０５でＹＥＳ）、ステップＳ１０６において、バックアップ制御手段５は不揮発性記憶手段６に管理情報データ７がすでに記録されているか否かのチェックを行う。
不揮発性記憶手段６に再生しようとしているディスクの管理情報データ７が含まれていないときは、ステップＳ１０７において光ディスク１上のバックアップ管理情報データ４を新たに不揮発性記憶手段６にコピーする。すでに不揮発性記憶手段６に再生しようとしているディスクの管理情報データ７が存在する場合（ステップＳ１０６でＹＥＳ）、ステップＳ１１３においてデータの整合性をチェックし、不整合があれば不揮発性記憶手段６の該当する管理情報データ７を消去し、新たに光ディスク１上のバックアップ管理情報データ４をコピーしてから、ステップＳ１０８を実行する。
ステップＳ１０８において、再生制御手段８は光ディスク１上のバックアップ管理情報データ４を使ってストリームを再生する。
【００１７】
次に、光ディスク１上の正規の管理情報データ２もバックアップ管理情報データ４も正常に解釈できなかった場合を説明する。従来の光ディスク再生装置では、この時点でストリームの再生をあきらめる。
この発明では、不揮発性記憶手段６にバックアップされた管理情報データ７が存在する場合にストリームの再生を行うことが可能である。
ステップＳ１０９において、再生制御手段８は不揮発性記憶手段６にバックアップされた管理情報データ７が存在するか否かを判定し、存在すれば不揮発性記憶手段６上の管理情報データ７の内容をチェックした後（ステップＳ１１４でＹＥＳ）、その管理情報データ７を使用してストリームの再生を実施する。
【００１８】
なお、ステップＳ１１１において、どの管理情報データ２，４，７も読み出せなかった場合は、ストリームの再生をあきらめるが、不揮発性記憶手段６は取り外し可能なメディアを使用する場合も想定しているので、別の不揮発性記憶手段に取り替えることによって、正しい管理情報データを読み出せる可能性がある。
【００１９】
実施の形態２．
再生した光ディスク１の数が増えると、ディスクの数に比例して不揮発性記憶手段６に記録される管理情報データ７が増える。本実施の形態２では、不揮発性記憶手段６にバックアップした管理情報データ７を保持する優先順位を定めることにより、より確実にコンテンツの再生を可能とするものである。
図３は本実施の形態２による光ディスク再生装置を示すブロック図であって、光ディスクに記録されている管理情報データおよびストリームデータの流れを示している。
図３は、図１の光ディスク再生装置に対し、エラー率計測手段１１と、エラー率管理テーブル１２と、データ管理手段１３とを追加したものである。
【００２０】
ストリーム再生時に、光ディスク１に記録された管理情報データ２、ストリームデータ３、またはバックアップ管理情報データ４が読み出せない時、エラー率計測手段１１は各読み出しエラーを検出すると共に、読み出しエラーが発生した回数と読み出したデータ量とを計測し、読み出しエラー率を計算する。また、計算結果を不揮発性記憶手段６のエラー率管理テーブル１２に保持する。
エラー率管理テーブル１２は、光ディスクの識別子とエラー率とを対応させて保持することによって、不揮発性記憶手段６にバックアップコピーされた管理情報データ７と読み出しエラー率とが関連付けられ、上記管理情報データ７の必要度を管理することができる。
データ管理手段１３は、不揮発性記憶手段６の空き容量の管理とデータの消去操作とを実行し、空き容量が少なくなってきた場合には、不揮発性記憶手段６に記録した管理情報データ７の中から、読み出しエラー率が低い（バックアップの必要性が低い）管理情報データを優先的に消去する。
【００２１】
実施の形態３．
上記実施の形態２では光ディスクの読み出しエラー率を基準に管理情報データ７の必要度を管理していたが、どのディスクもエラー率が同等の場合には別の基準を設けてもよい。その一例として、光ディスクの使用頻度によって、管理情報データバックアップの必要度を計測する。
使用頻度が高い光ディスクはディスクの傷や汚れなどによりデータ読み出しエラーが発生する可能性が高くなる。また、使用頻度が高いディスクほどストリームの確実な再生が重要となる。
【００２２】
そこで、１枚のディスクあたりの総再生時間の長いものほど使用頻度が高く、管理情報の必要度が高くなると解釈し、再生制御手段８はディスク毎に総再生時間を計測する。データ管理手段１３は、計測された総再生時間と管理情報データ７とを関連付けたデータベースを管理し、不揮発性記憶手段６の空き容量が少なくなってきた場合には、総再生時間の短いディスクに対する管理情報データ７を優先的に消去する。
【００２３】
また、管理情報のバックアップデータの必要度を決める指標として、ストリームの再生回数と関連付けることもできる。ストリーム再生に必要な管理情報データはユーザーがリモコンもしくはフロントパネルなどで再生コマンドを発生させたときに読み込まれるデータであるから、再生回数と管理情報データへのアクセス頻度は比例する。
そこで、再生コマンドを発生させた回数（再生回数）をカウントし、データ管理手段１３は、計測された再生回数と管理情報データ７とを関連付けたデータベースを管理し、不揮発性記憶手段６の空き容量が少なくなってきた場合には、再生回数の少ない光ディスクの管理情報データ７を優先的に消去する。
【００２４】
また、管理情報のバックアップデータの必要度を決める別の指標として、トレイの開閉回数と関連付けることもできる。光ディスクをトレイから出したり入れたりする操作を繰り返すことによって、汚れや傷がディスクに付く可能性も高くなると考えられる。
そこで、トレイの開閉時に挿入されている光ディスクの識別子とトレイの開閉回数を計測し、データ管理手段１３は、計測された開閉回数と管理情報データ７とを関連付けたデータベースを管理し、不揮発性記憶手段６の空き容量が少なくなってきた場合には、開閉回数の少ない光ディスクの管理情報データ７を優先的に消去する。
【００２５】
実施の形態４．
図４は、本実施の形態４による光ディスク再生装置を示すブロック図であって、光ディスクに記録されている管理情報データおよびストリームデータの流れを示している。
図４は、図１の光ディスク再生装置に対し、暗号化手段２３と、複合化手段２２とを追加したものである。
【００２６】
光ディスク１に記録されている管理情報データ２、またはバックアップ管理情報データ４を不揮発性記憶手段６にバックアップコピーする前に、暗号化手段２３によってデータを暗号化しておき、その結果を不揮発性記憶手段６に書き込む。不揮発性記憶手段６に書き込まれた管理情報データ７を利用する場合は、複合化手段２２によって復号してから利用する。
【００２７】
不揮発性記憶手段６に書き込まれた管理情報データ７は、光ディスク再生装置１０が持つ暗号化手段２３によって暗号化されているので、この装置以外の装置に不揮発性記憶手段６を接続しても、暗号のアルゴリズムと復号に必要な鍵を入手しない限り、情報を見ることはできない。
【００２８】
なお、暗号化手段２３によってデータの暗号化を実施しない場合でも、不揮発性記憶手段６に書き込まれるデータを独自仕様のファイルシステムで書き込むことによって、パソコンなどで簡単に読み出せないようにすることが可能である。
このようにすることによって、誤ってデータを消去したり、データの一部を改ざんしたりすることを防止できる。
【００２９】
なお、上記各実施の形態において、不揮発性記憶手段６は、通常は管理情報データのバックアップのみに使用するのではなく、ほかのデータを保持するために使用しても良い。管理情報データバックアップ用にあらかじめ記憶領域を割り当て、その範囲を超えないようにデータバックアップを行う。
また、不揮発性記憶手段６は、内蔵ハードディスクのように取り外しのできないものを使用する場合と、ＵＳＢメモリのように再生装置から取り外し可能なものを使用する場合のどちらでも構わない。取り外し可能な不揮発性記憶手段を使用する場合は、複数の取り外し可能な不揮発性記憶手段が使用されることが予想される。ＵＳＢメモリを使用する場合を例にとると、第１のＵＳＢメモリに、管理情報データのバックアップを取った後に、第２のＵＳＢメモリに取り替えた場合は、管理情報データのバックアップが第２のＵＳＢメモリには存在しないため、再生中の光ディスクの管理情報データのバックアップを新たに作成する。
エラー率の情報も、同様に、ＵＳＢメモリ毎に統計を取り、バックアップデータの必要度を計算することになる。
【００３０】
また、上記各実施の形態では、光ディスク１にバックアップ管理情報データ４が記録されている場合について説明したが、バックアップ管理情報データ４が記録されていない光ディスクに対しても、本実施の形態の再生装置を適用することができる。その場合は、図２のステップＳ１０５〜Ｓ１０８の処理は実行しない。
【００３１】
また、上記各実施の形態では光ディスク再生装置を例に示したが、磁気記録、半導体記録などの方法により記録されたメディアでもかまわない。
【産業上の利用可能性】
【００３２】
本発明の活用例として、Ｂｌｕ−ｒａｙディスクプレーヤに適用できる。
【図面の簡単な説明】
【００３３】
【図１】この発明の実施の形態１に係わる光ディスクに記録されているデータの流れを示すブロック図である。
【図２】この発明の実施の形態１に係わるバックアップ制御手段が管理情報データを生成するためのフローチャートである。
【図３】この発明の実施の形態２に係わる光ディスクに記録されているデータの流れを示すブロック図である。
【図４】この発明の実施の形態４に係わる光ディスクに記録されているデータの流れを示すブロック図である。
【符号の説明】
【００３４】
１  光ディスク、２  光ディスクに記録されている管理情報データ、３  光ディスクに記録されているストリームデータ、４  光ディスクに記録されているバックアップ管理情報データ、５  バックアップ制御手段、６  不揮発性記憶手段、７  不揮発性記憶手段に書き込まれた管理情報データ、８  再生制御手段、１０  光ディスク再生装置、１１  エラー率計測手段、１２  エラー率管理テーブル、１３  データ管理手段、２２  復号化手段、２３  暗号化手段。
【図１】
0004496411.tif 000002
【図２】
0004496411.tif 000003
【図３】
0004496411.tif 000004
【図４】
0004496411.tif 000005